(57)【要約】  【課題】キー操作にエラーがあった際に、ユーザが必要とする場合にのみエラーの詳細情報を表示できる映像再生装置を提供する。  【解決手段】リモコンにおけるキー操作が、操作の禁止されているキー操作であった場合や、キー操作により選択された情報が存在しなかった場合に、モニタの表示画面１７ａにエラーマーク２０を表示させる映像再生装置において、リモコンにＨＥＬＰキーを設ける。キー操作にエラーがあったときは、まず表示画面１７ａにエラーマーク２０を表示し、その後、ＨＥＬＰキーが押された場合に、エラーマーク２０を消去するとともに、キー操作の内容４１ａ、エラーの説明４１ｂ、エラー解消のための操作案内４１ｃを含むエラーガイダンス４１を表示画面１７ａに表示する。【選択図】  図２
2005092997.tif 000002
【特許請求の範囲】
【請求項１】
ディスクに記録されている映像および音声の情報を読み取る読取手段と、
前記読取手段で読み取った情報を再生するための信号処理を行い、再生された映像信号をモニタに出力するとともに、再生された音声信号をスピーカに出力する信号処理部と、
所定の操作を行うためのキーを有する操作部と、
前記操作部のキー操作に基づいてディスクの動作を制御する制御部と、
ＯＳＤ（On Screen Display）表示されるエラーマークを記憶した記憶部と、を備え、
前記制御部は、前記キー操作が禁止されている操作であった場合、または前記キー操作により選択された情報が存在しなかった場合に、当該キー操作がエラーであると判断して前記記憶部からエラーマークを読み出し、当該エラーマークを前記モニタの画面に表示させる映像再生装置において、
前記操作部には、ＨＥＬＰキーが設けられ、
前記記憶部には、ＯＳＤ表示によりキー操作のエラー内容を説明する複数のエラーガイダンスが各エラーに対応して格納され、
前記制御部は、前記モニタの画面にエラーマークが表示された後に前記ＨＥＬＰキーが押された場合に、前記記憶部から該当するエラーガイダンスを読み出し、当該エラーガイダンスを前記モニタの画面に表示させることを特徴とする映像再生装置。
【請求項２】
記録媒体に記録されている映像の情報を読み取る読取手段と、
前記読取手段で読み取った情報を再生するための信号処理を行い、再生された映像信号をモニタに出力する信号処理部と、
所定の操作を行うためのキーを有する操作部と、
前記操作部のキー操作に基づいて記録媒体の動作を制御する制御部と、を備え、
前記制御部は、前記キー操作がエラーであった場合に、エラーマークを前記モニタの画面に表示させる映像再生装置において、
前記操作部には、ガイダンス表示キーが設けられ、
前記制御部は、前記モニタの画面にエラーマークが表示された後に前記ガイダンス表示キーが押された場合に、キー操作のエラー内容を説明するエラーガイダンスを前記モニタの画面に表示させることを特徴とする映像再生装置。
【請求項３】
請求項２に記載の映像再生装置において、
前記エラーガイダンスは、エラーを解消するための操作案内を含んでいることを特徴とする映像再生装置。
【請求項４】
請求項２または請求項３に記載の映像再生装置において、
前記エラーガイダンスは、エラーとなったキー操作の内容を含んでいることを特徴とする映像再生装置。
【請求項５】
請求項２ないし請求項４のいずれかに記載の映像再生装置において、
前記制御部は、ガイダンス表示キーが押された場合にエラーマークを消去することを特徴とする映像再生装置。
【請求項６】
請求項２ないし請求項４のいずれかに記載の映像再生装置において、
前記制御部は、エラーマークが表示された後、一定時間内にガイダンス表示キーが押された場合は、エラーマークを消去してエラーガイダンスを表示させ、一定時間内にガイダンス表示キーが押されなかった場合は、エラーマークを消去し、その後一定時間内にガイダンス表示キーが押されるとエラーガイダンスを表示させることを特徴とする映像再生装置。
【発明の詳細な説明】
【技術分野】
【０００１】
本発明は、例えばＤＶＤ（Digital Versatile Disk）のような記録媒体に記録された映像を再生する映像再生装置に関するものである。
【背景技術】
【０００２】
今日では、映像や音楽の大容量データを記録できる記録媒体として、ＤＶＤが広く用いられており、ＤＶＤプレーヤやＤＶＤレコーダのような映像再生装置が開発され実用化されている。このような映像再生装置では、一般にリモコンのキーを操作することにより、再生・記録・停止・早送り・早戻し等の各種動作が行われるようになっている。しかしながら、リモコンのキーを操作する場合、操作がすべて有効となるわけではなく、キー操作がエラーとなる場合がある。このエラーには、大別して２つの種類がある。
【０００３】
その１つは、操作が禁止されているキーを操作した場合である。例えば、メニュー画面が表示されている間はスキップや早送りの操作が禁止されている場合、メニュー画面表示中にスキップキーや早送りキーが押されると、そのキー操作は禁止操作と判定されてエラーとなる。また、ディスクによっては、特定の動作、例えばリピート再生が禁止されているものもあり、この場合もリピートキーの操作はエラーとなる。
【０００４】
もう１つは、キー操作により選択された情報が存在しなかった場合である。例えば、再生される音声の言語を選択する場合に、その言語がディスクに記録されていなければ、キー操作は選択不可操作と判定されてエラーとなる。また、再生音として例えばドルビーデジタル音声を選択した場合に、ディスクに記録されている音声がＰＣＭ音声であるようなときも、キー操作は選択不可操作と判定されてエラーとなる。
【０００５】
このようにキー操作にエラーがあった場合、従来は、モニタの画面にエラーマークを表示して、ユーザにキー操作が誤っていることを報知していた。しかしながら、単にエラーマークを表示するだけでは、慣れないユーザにとっては、そのエラーがどういう内容なのかがすぐには分からず、マニュアルを参照するなど多大の手間がかかっていた。
【０００６】
これに対して、キー操作のエラーがあった場合に、エラーマークに代えて、エラーの内容を説明したガイダンス画面を表示することが考えられる。しかしながら、ガイダンス画面は表示スペースを大きくとることから、画面上の字幕やＯＳＤ表示が覆い隠されて見えなくなることがある。このため、わざわざガイダンスを表示しなくてもエラーマークの表示だけで対応が可能なユーザにとっては、ガイダンス画面の表示がかえって煩わしい場合もある。したがって、エラーがあった場合に、一律にガイダンス画面を表示する必要性は乏しい。
【０００７】
なお、ユーザへディスクの状態を報知するようにしたディスク再生装置が、下記の特許文献１に記載されている。この装置では、ディスクを装填して再生を開始すると、面振れや偏心等に関する情報がフロントパネルの表示部に表示され、使用者がディスクの変形の程度を容易に知ることができるようになっている。また、エラーが発生したときに、エラーメッセージ画面を表示装置に表示するようにした情報記録再生装置が下記の特許文献２に記載されている。この装置では、エラーメッセージ画面において、エラーの種類、エラーコード、エラー内容を表すメッセージなどが表示されるようになっている。
【特許文献１】特開２００１−２９７５１６号公報
【特許文献２】特開平１１−３５３７４６号公報
【発明の開示】
【発明が解決しようとする課題】
【０００８】
しかしながら、上記特許文献１に記載されているのは、ディスクの再生を開始した後にディスクの状態を表示する技術であり、キー操作のエラーに関する技術ではないから、本文献の技術によっては上述したようなキー操作にエラーがあった場合の課題に対応することはできない。特許文献２に記載されている技術も、キー操作のエラーに関するものではなく、また、本文献のようにエラー発生時にエラーメッセージ画面を無条件に表示したのでは、前述したように、メッセージが不要なユーザにとってエラーメッセージ画面が邪魔になるという問題がある。
【０００９】
本発明は、上記課題を解決するものであって、その目的とするところは、キー操作にエラーがあった際に、ユーザが必要とする場合にのみエラーの詳細情報を表示できる映像再生装置を提供することにある。
【課題を解決するための手段】
【００１０】
本発明では、記録媒体に記録されている映像の情報を読み取る読取手段と、読取手段で読み取った情報を再生するための信号処理を行い、再生された映像信号をモニタに出力する信号処理部と、所定の操作を行うためのキーを有する操作部と、操作部のキー操作に基づいて記録媒体の動作を制御する制御部とを備え、キー操作がエラーであった場合に、エラーマークをモニタの画面に表示させる映像再生装置において、操作部にガイダンス表示キーが設けられる。そして、モニタの画面にエラーマークが表示された後に上記ガイダンス表示キーが押された場合に、キー操作のエラー内容を説明するエラーガイダンスがモニタの画面に表示される。
【００１１】
このように、キー操作がエラーであった場合に、モニタの画面にまずエラーマークを表示し、その後ガイダンス表示キーが押された場合にエラー内容を説明するエラーガイダンスを表示することで、エラーマークの表示だけで対応が可能な慣れたユーザは、ガイダンス表示キーを押す必要がなく、また、ガイダンス画面が邪魔になることもない。一方、エラーマークの表示だけでは対応できない不慣れなユーザは、ガイダンス表示キーを押すことにより、エラーの詳細内容が表示されるので、これを手掛かりにして円滑な対応が可能となる。
【００１２】
本発明の好ましい実施形態においては、モニタ画面に表示されるエラーガイダンスが、エラーを解消するための操作案内を含んでいる。これによると、単にエラー内容をユーザに報知するにとどまらず、次になすべき操作が何であるかをユーザに知らせるので、ユーザはエラーに対して迅速かつ的確な対応をとることができる。
【００１３】
また、本発明の好ましい実施形態においては、モニタ画面に表示されるエラーガイダンスが、更に、エラーとなったキー操作の内容を含んでいる。これによると、操作したキーが何であるかをユーザに知らせることができるので、キーの押し間違いがあった場合に、ユーザに正しいキーの再操作を促すことができる。
【００１４】
また、本発明の好ましい実施形態においては、ガイダンス表示キーを押してエラーガイダンスを表示する場合に、エラーマークが消去される。これによると、モニタの画面上にエラーマークとガイダンスとが重複して表示されることがなく、画面が見やすいものとなる。
【００１５】
また、本発明においては、エラーマークが表示された後、一定時間内にガイダンス表示キーが押された場合は、エラーマークを消去してエラーガイダンスを表示させ、一定時間内にガイダンス表示キーが押されなかった場合は、エラーマークを消去し、その後一定時間内にガイダンス表示キーが押されるとエラーガイダンスを表示させるようにしてもよい。これによると、エラーマークが消えた後であっても、一定時間内にガイダンス表示キーを押すことで、エラーガイダンスを表示させることができ、利便性が向上する。
【発明の効果】
【００１６】
本発明によれば、キー操作にエラーがあった場合に、ガイダンスによりエラー内容をユーザに知らせることができるとともに、このガイダンスはユーザが必要とする場合にのみ表示されるので、必要以上にガイダンスが表示される煩雑さを回避することができる。
【発明を実施するための最良の形態】
【００１７】
図１は、本発明を適用したＤＶＤレコーダの一例を示すブロック図である。図において、１は光ディスク（以下単に「ディスク」という）であって、例えばＤＶＤ、ＤＶＤ−Ｒ、ＤＶＤ−ＲＡＭ、ＤＶＤ−ＲＷなどが用いられる。２はディスク読取書込部であって、ディスク１に記録されている情報を読み取り、またディスク１に情報を書き込む。このディスク読取書込部２は、光ピックアップ等から構成される。３は信号処理部であって、ディスク読取書込部２がディスク１から読み取った信号を処理する再生回路、およびディスク読取書込部２によりディスク１に書き込む信号を処理する記録回路等から構成される。４はディスク駆動部であって、ディスク１を駆動するスピンドルモータやその駆動回路等から構成される。５は制御部であって、ＤＶＤレコーダ全体の制御を行うＣＰＵを搭載したマイクロコンピュータから構成される。
【００１８】
６はＤＶＤレコーダ本体のフロントパネルに設けられている操作部であって、ディスク１の再生・記録・停止・早送り・早戻し等の各種動作を行わせるためのキーや電源スイッチなどから構成される。７は記憶部であって、ＯＳＤ（On Screen Display）メモリ８とエラー情報記録領域９を有している。ＯＳＤメモリ８は例えばフラッシュメモリから構成され、エラー情報記録領域９はＲＡＭの一部に設けられる。なお、記憶部７には制御部５が実行するプログラムや各種パラメータなども記憶されているが、図示は省略してある。ＯＳＤメモリ８には、ＯＳＤ表示のための各種パターンが画像データとして格納されているが、ここでは本発明に関係するエラーマークを格納した領域８ａと、各エラーに対応する複数のエラーガイダンスを格納した領域８ｂのみを図示してある。１０は表示部であって、ディスク１の状態や時間等が表示される蛍光表示管等からなる。１１はリモコン受信部であって、リモコン１２からの赤外線信号を受信する。これらの表示部１０およびリモコン受信部１１も、操作部６と同様に、ＤＶＤレコーダ本体のフロントパネルに設けられている。リモコン１２には、操作部６と同様に、ディスク１の再生・記録・停止・早送り・早戻し等の各種動作を行わせるためのキーや電源スイッチが設けられているとともに、エラー内容を表示させるためのＨＥＬＰキー１３が設けられている。
【００１９】
１４は放送電波から所定周波数の信号を抽出するチューナ、１５は放送電波を受信するアンテナである。１６は音声を出力するスピーカ、１７は映像を表示するテレビモニタである。スピーカ１６とテレビモニタ１７は、ＤＶＤレコーダにケーブルを介して外付けされるようになっている。信号処理部３には、チューナ１４で選局された映像信号および音声信号が入力されるとともに、デジタルビデオカメラ等の外部機器（図示省略）からの映像信号および音声信号が入力される。ディスク１の再生時には、ディスク１に記録されている映像および音声の情報がディスク読取書込部２で読み取られて信号処理部３に送られ、信号処理部３で再生された音声はスピーカ１６から出力され、信号処理部３で再生された映像はテレビモニタ１７に表示される。また、チューナ１４で受信した映像信号および音声信号や、外部機器からの映像信号および音声信号をディスク１に記録する場合には、信号処理部３で処理された各信号がディスク読取書込部２によりディスク１に記録される。
【００２０】
以上の構成において、ディスク１は本発明の記録媒体に相当し、ディスク読取書込部２は本発明の読取手段に相当し、操作部６とリモコン１２は本発明の操作部に相当し、ＨＥＬＰキー１３は本発明のガイダンス表示キーに相当する。
【００２１】
次に、リモコン１２（または操作部６）のキー操作がエラーである場合の処理について、図２〜図５を参照しながら説明する。図２と図３は、操作が禁止されているキーを操作した場合、すなわち禁止操作が行われた場合のテレビモニタ１７における表示画面１７ａの例であり、図４と図５は、キー操作により選択された情報が存在しなかった場合、すなわち選択不可操作が行われた場合のテレビモニタ１７における表示画面１７ａの例である。
【００２２】
図２は、ＤＶＤレコーダに挿入したディスク１が、ＤＶＤ−Ｖｉｄｅｏのように再生専用で記録ができないディスクであるにもかかわらず、リモコン１２の録画（Recording）キーを操作した場合の例である。この場合、図２（ａ）のように、テレビモニタ１７の表示画面１７ａには、まずエラーマーク２０が表示される。このエラーマーク２０は、図１のＯＳＤメモリ８のエラーマーク領域８ａに画像として記憶されており、これが読み出されて画面上にＯＳＤ表示される。このエラーマーク２０を見たユーザは、キー操作が間違っていたことを知り、その原因が分かる場合は、然るべき処置（ディスクの交換）を行う。しかし、エラーの原因が分からない場合は、リモコン１２のＨＥＬＰキー１３を押す。ＨＥＬＰキー１３が押されると、テレビモニタ１７の表示画面１７ａには、図２（ｂ）のようなＨＥＬＰ画面２１が表示される。このＨＥＬＰ画面２１には、エラーとなったキー操作の内容４１ａと、エラーの説明４１ｂと、エラーを解消するための操作案内４１ｃとを含むエラーガイダンス４１が表示される。ユーザは、このエラーガイダンス４１を見ることにより、エラーの内容や対応方法を知ることができ、ディスクを記録可能なもの（例えばＤＶＤ−ＲＷ）に交換することで、エラーを解消することができる。
【００２３】
図３は、メニュー画面が表示されている間はスキップ動作が禁止されているにもかかわらず、この間にリモコン１２のスキップキーを操作した場合の例である。この場合も、図３（ａ）のように、テレビモニタ１７の表示画面１７ａには、まずエラーマーク２０が表示される。このエラーマーク２０を見たユーザは、キー操作が間違っていたことを知り、その原因が分かる場合は、然るべき処置（一旦停止後に再サーチ）を行う。しかし、エラーの原因が分からない場合は、リモコン１２のＨＥＬＰキー１３を押す。ＨＥＬＰキー１３が押されると、テレビモニタ１７の表示画面１７ａには、図３（ｂ）のようなＨＥＬＰ画面２２が表示される。このＨＥＬＰ画面２２にも、図２（ｂ）と同様に、エラーとなったキー操作の内容４２ａと、エラーの説明４２ｂと、エラーを解消するための操作案内４２ｃとを含むエラーガイダンス４２が表示される。ユーザは、このエラーガイダンス４２を見ることにより、エラーの内容や対応方法を知ることができ、リモコン１２のストップキーを押してディスクを一旦停止させた後、視聴したい箇所を選択してスキップ操作を行なうことで、エラーを解消することができる。
【００２４】
図４は、再生しているタイトル（ディスク）が字幕のないものであるにもかかわらず、リモコン１２で字幕の選択をした場合の例である。この場合も、図４（ａ）のように、テレビモニタ１７の表示画面１７ａには、まずエラーマーク２０が表示される。このエラーマーク２０を見たユーザは、キー操作が間違っていたことを知り、その原因が分かる場合は、字幕の選択を行わずに再生を継続する。しかし、エラーの原因が分からない場合は、リモコン１２のＨＥＬＰキー１３を押す。ＨＥＬＰキー１３が押されると、テレビモニタ１７の表示画面１７ａには、図４（ｂ）のようなＨＥＬＰ画面３１が表示される。このＨＥＬＰ画面３１には、エラーの説明５１ａ，５１ｂを含むエラーガイダンス５１が表示される。ユーザは、このエラーガイダンス５１を見ることにより、エラーの内容や対応方法を知ることができ、字幕の選択を行わずに再生を継続することで、エラーを解消することができる。
【００２５】
図５は、例えば音声選択にあたって音声の種類を数字で入力する際に、入力可能な数字の範囲が１〜３であるにもかかわらず、リモコン１２のキー操作で数字９を入力した場合の例である。この場合も、図５（ａ）のように、テレビモニタ１７の表示画面１７ａには、まずエラーマーク２０が表示される。このエラーマーク２０を見たユーザは、キー操作が間違っていたことを知り、その原因が分かる場合は、然るべき処置（数字の再入力）を行う。しかし、エラーの原因が分からない場合は、リモコン１２のＨＥＬＰキー１３を押す。ＨＥＬＰキー１３が押されると、テレビモニタ１７の表示画面１７ａには、図５（ｂ）のようなＨＥＬＰ画面３２が表示される。このＨＥＬＰ画面３２には、エラーとなったキー操作の内容５２ａと、エラーの説明５２ｂと、エラーを解消するための操作案内５２ｃとを含むエラーガイダンス５２が表示される。ユーザは、このエラーガイダンス５２を見ることにより、エラーの内容や対応方法を知ることができ、リモコン１２により１〜３の範囲で正しい数字を再入力することで、エラーを解消することができる。
【００２６】
次に、キー操作が行われた場合の詳細な処理につき、図６のフローチャートを参照して説明する。本フローチャートは、制御部５のＣＰＵにより実行される手順を示している。
【００２７】
最初に、リモコン１２（または操作部６）からのキー入力があるか否かを監視し（ステップＳ１）、キー入力があると（ステップＳ１：ＹＥＳ）、そのキーが操作の禁止されているキーか否かを判定する（ステップＳ２）。操作の禁止されているキーでなければ（ステップＳ２：ＮＯ）、次に、そのキーが選択のできないキーであるか否かを判定し（ステップＳ１２）、選択のできないキーでなければ（ステップＳ１２：ＮＯ）、キー操作が正常と判断して、通常のキー処理を行う（ステップＳ１８）。
【００２８】
ステップＳ２において、操作の禁止されているキーと判定した場合は（ステップＳ２：ＹＥＳ）、記憶部７のＯＳＤメモリ８におけるエラーマーク領域８ａに記憶されているエラーマークを読み出し、図２（ａ）や図３（ａ）で示したように、テレビモニタ１７の表示画面１７ａにエラーマーク２０を表示する（ステップＳ３）。そして、操作キーの種別やエラーコード等を含むエラー情報を、記憶部７のエラー情報記録領域９に記録した後（ステップＳ４）、ＨＥＬＰキー１３が押されたか否かを判定する（ステップＳ５）。
【００２９】
ＨＥＬＰキー１３が押されると（ステップＳ５：ＹＥＳ）、テレビモニタ１７の表示画面１７ａに表示されているエラーマーク２０を消去する（ステップＳ６）。続いて、記憶部７のエラー情報記録領域９に記録されているエラー情報をチェックし（ステップＳ７）、当該エラーに対応するエラーガイダンスを、記憶部７のエラーガイダンス領域８ｂから読み出して（ステップＳ８）、図２（ｂ）や図３（ｂ）で示したように、テレビモニタ１７の表示画面１７ａにＨＥＬＰ画面２１，２２を表示する（ステップＳ９）。その後、ＨＥＬＰ画面を消去する操作が行われたか否かを判定し（ステップＳ１０）、消去操作が行われた場合は（ステップＳ１０：ＹＥＳ）、ＨＥＬＰ画面を消去して（ステップＳ１１）、最初に戻る。ＨＥＬＰ画面の消去操作としては、例えばＨＥＬＰキー１３を再度押すことや、その他の特定キーを押すこと等が考えられる。
【００３０】
なお、ステップＳ５において、ＨＥＬＰキー１３が押されなければ（ステップＳ５：ＮＯ）、一定時間が経過したかどうかをみて（ステップＳ１５）、一定時間が経過してなければ（ステップＳ１５：ＮＯ）、ステップＳ５へ戻ってＨＥＬＰキー１３が押されるのを待つ。一定時間が経過した場合は（ステップＳ１５：ＹＥＳ）、エラーマーク２０を消去して（ステップＳ１６）、最初に戻る。
【００３１】
また、ステップＳ１０において、ＨＥＬＰ画面の消去操作が行われなかった場合は（ステップＳ１０：ＮＯ）、一定時間が経過したかどうかをみて（ステップＳ１７）、一定時間が経過してなければ（ステップＳ１７：ＮＯ）、ステップＳ１０へ戻ってＨＥＬＰ画面の消去操作を待つ。一定時間が経過した場合は（ステップＳ１７：ＹＥＳ）、ＨＥＬＰ画面を消去して（ステップＳ１１）、最初に戻る。
【００３２】
次に、ステップＳ２において、操作の禁止されているキーではないと判定され（ステップＳ２：ＮＯ）、ステップＳ１２において、選択のできないキーと判定された場合は（ステップＳ１２：ＹＥＳ）、記憶部７のＯＳＤメモリ８におけるエラーマーク領域８ａに記憶されているエラーマークを読み出し、図４（ａ）や図５（ａ）で示したように、テレビモニタ１７の表示画面１７ａにエラーマーク２０を表示する（ステップＳ１３）。そして、操作キーの種別やエラーコード等を含むエラー情報を、記憶部７のエラー情報記録領域９に記録した後（ステップＳ１４）、ＨＥＬＰキー１３が押されたか否かを判定する（ステップＳ５）。ステップＳ５以降の処理については前述した通りであるので、ここでは重複説明を省略する。なお、ステップＳ１５、Ｓ１７における「一定時間」は、異なっていてもよいし、同じであってもよい。
【００３３】
以上のように、上記実施形態においては、キー操作がエラーであった場合に、テレビモニタ１７の表示画面１７ａにまずエラーマーク２０を表示し、その後ＨＥＬＰキー１３が押された場合に、エラー内容を説明するエラーガイダンス４１，４２，５１，５２を表示画面１７ａに表示するようにしている。このため、エラーマーク２０の表示だけで対応が可能な慣れたユーザは、ＨＥＬＰキー１３を押す必要がなく、また、ＨＥＬＰ画面２１，２２，３１，３２が邪魔になることもない。一方、エラーマーク２０の表示だけでは対応できない不慣れなユーザは、ＨＥＬＰキー１３を押すことにより、エラーの詳細内容が表示されるので、これを手掛かりにして円滑な対応が可能となる。
【００３４】
また、上記実施形態では、エラーガイダンス４１，４２，５２は単にエラー内容を報知するだけでなく、エラーを解消するための操作案内４１ｃ，４２ｃ，５２ｃを含んでいるので、ユーザは次になすべき操作が何であるかを容易に知ることができ、エラーに対して迅速かつ的確な対応をとることができる。
【００３５】
また、上記実施形態では、エラーガイダンス４１，４２，５２が、エラーとなったキー操作の内容４１ａ，４２ａ，５２ａを含んでいるので、ユーザは操作したキーが何であるかを容易に知ることができ、キーの押し間違いがあった場合に、ユーザに対して正しいキーの再操作を促すことができる。
【００３６】
また、上記実施形態では、ＨＥＬＰキー１３を押してエラーガイダンスを表示する場合に、エラーマーク２０が消去されるようにしたので、表示画面１７ａにエラーマーク２０とガイダンスとが重複して表示されることがなく、画面が見やすいものとなる。
【００３７】
図７は、本発明の他の実施形態を示すフローチャートであって、制御部５のＣＰＵにより実行される手順を示している。この実施形態では、エラーマーク２０が消えた後であっても、一定時間内にＨＥＬＰキー１３を押せば、エラーガイダンスが表示されるようにしている。
【００３８】
最初に、リモコン１２（または操作部６）からのキー入力があるか否かを監視し（ステップＳ２１）、キー入力があると（ステップＳ２１：ＹＥＳ）、そのキーが操作の禁止されているキーか否かを判定する（ステップＳ２２）。操作の禁止されているキーでなければ（ステップＳ２２：ＮＯ）、次に、そのキーが選択のできないキーであるか否かを判定し（ステップＳ３３）、選択のできないキーでなければ（ステップＳ３３：ＮＯ）、キー操作が正常と判断して、通常のキー処理を行う（ステップＳ３９）。
【００３９】
ステップＳ２２において、操作の禁止されているキーと判定した場合は（ステップＳ２２：ＹＥＳ）、記憶部７のＯＳＤメモリ８におけるエラーマーク領域８ａに記憶されているエラーマークを読み出し、図２（ａ）や図３（ａ）で示したように、テレビモニタ１７の表示画面１７ａにエラーマーク２０を表示する（ステップＳ２３）。そして、操作キーの種別やエラーコード等を含むエラー情報を、記憶部７のエラー情報記録領域９に記録した後（ステップＳ２４）、一定時間が経過したか否かを判定する（ステップＳ２５）。
【００４０】
一定時間が経過すると（ステップＳ２５：ＹＥＳ）、テレビモニタ１７の表示画面１７ａに表示されているエラーマーク２０を消去する（ステップＳ２６）。続いて、エラーマーク２０が消去されてから一定時間以内にＨＥＬＰキーが押されたか否かを判定する（ステップＳ２７）。一定時間以内にＨＥＬＰキーが押されなければ（ステップＳ２７：ＮＯ）、ステップＳ２８以降を実行せずに最初に戻る。一定時間以内にＨＥＬＰキーが押された場合は（ステップＳ２７：ＹＥＳ）、記憶部７のエラー情報記録領域９に記録されているエラー情報をチェックし（ステップＳ２８）、当該エラーに対応するエラーガイダンスを、記憶部７のエラーガイダンス領域８ｂから読み出して（ステップＳ２９）、図２（ｂ）や図３（ｂ）で示したように、テレビモニタ１７の表示画面１７ａにＨＥＬＰ画面２１，２２を表示する（ステップＳ３０）。その後、ＨＥＬＰ画面を消去する操作が行われたか否かを判定し（ステップＳ３１）、消去操作が行われた場合は（ステップＳ３１：ＹＥＳ）、ＨＥＬＰ画面を消去して（ステップＳ３２）、最初に戻る。この場合も、ＨＥＬＰ画面の消去操作としては、例えばＨＥＬＰキー１３を再度押すことや、その他の特定キーを押すこと等が考えられる。
【００４１】
なお、ステップＳ２５において、一定時間が経過してなければ（ステップＳ２５：ＮＯ）、ＨＥＬＰキー１３が押されたか否かを判定し（ステップＳ３６）、ＨＥＬＰキー１３が押されなければ（ステップＳ３６：ＮＯ）、ステップＳ２５へ戻って時間の監視を続ける。一定時間が経過するまでにＨＥＬＰキー１３が押された場合は（ステップＳ３６：ＹＥＳ）、エラーマーク２０を消去して（ステップＳ３７）、ステップＳ２８へ移行する。
【００４２】
また、ステップＳ３１において、ＨＥＬＰ画面の消去操作が行われなかった場合は（ステップＳ３１：ＮＯ）、一定時間が経過したかどうかをみて（ステップＳ３８）、一定時間が経過してなければ（ステップＳ３８：ＮＯ）、ステップＳ３１へ戻ってＨＥＬＰ画面の消去操作を待つ。一定時間が経過した場合は（ステップＳ３８：ＹＥＳ）、ＨＥＬＰ画面を消去して（ステップＳ３２）、最初に戻る。
【００４３】
次に、ステップＳ２２において、操作の禁止されているキーではないと判定され（ステップＳ２２：ＮＯ）、ステップＳ３３において、選択のできないキーと判定された場合は（ステップＳ３３：ＹＥＳ）、記憶部７のＯＳＤメモリ８におけるエラーマーク領域８ａに記憶されているエラーマークを読み出し、図４（ａ）や図５（ａ）で示したように、テレビモニタ１７の表示画面１７ａにエラーマーク２０を表示する（ステップＳ３４）。そして、操作キーの種別やエラーコード等を含むエラー情報を、記憶部７のエラー情報記録領域９に記録した後（ステップＳ３５）、一定時間が経過したか否かを判定する（ステップＳ２５）。ステップＳ２５以降の処理については前述した通りであるので、ここでは重複説明を省略する。なお、ステップＳ２５、Ｓ２７、Ｓ３８における「一定時間」は、それぞれ異なっていてもよいし、同じであってもよい。
【００４４】
以上のように、図７の実施形態においては、エラーマーク２０が表示された後、一定時間内にＨＥＬＰキー１３が押された場合は、エラーマーク２０が消去されてエラーガイダンスが表示され、一定時間内にＨＥＬＰキー１３が押されなかった場合は、エラーマーク２０が消去され、その後一定時間内にＨＥＬＰキー１３が押されるとエラーガイダンスが表示されるようになっている。このため、エラーマーク２０が消えた後であっても、一定時間内にＨＥＬＰキー１３を押すことで、エラーガイダンスを表示させることができ、利便性が向上する。
【００４５】
本発明は、以上説明した実施形態以外にも種々の変形、応用が可能である。例えば、上述した実施形態では、操作が禁止されているキーを操作した場合に表示されるエラーマーク２０（図２、図３）と、キー操作により選択された情報が存在しなかった場合に表示されるエラーマーク２０（図４、図５）とが同じマークである場合を例に挙げたが、前者の場合と後者の場合とで異なるエラーマークを表示するようにしてもよい。
【００４６】
また、上述した実施形態では、ＨＥＬＰキー１３をリモコン１２に設けた場合を例に挙げたが、ＨＥＬＰキー１３は本体の操作部６に設けてもよく、あるいはリモコン１２と操作部６の両方に設けてもよい。
【００４７】
また、上述した実施形態では、ガイダンス表示キーとして専用のＨＥＬＰキー１３を設けたが、ガイダンス表示キーはリモコン１２や操作部６に従来から備わっている既存のキーで兼用してもよい。
【００４８】
また、キー操作にエラーがあった場合に、上述した実施形態のようにエラーマークとエラーガイダンスの２段階表示とするか、あるいは、いずれか一方のみの表示とするかを、テレビモニタ１７の初期設定画面上で選択できるようにしてもよい。
【００４９】
さらに、上述した実施形態では、映像再生装置として録画と再生の両方の機能を備えたＤＶＤレコーダを例に挙げたが、本発明は再生機能のみを有するＤＶＤプレーヤにも適用することができ、また、取り扱う記録媒体もＤＶＤ等に限らず、他の記録媒体であってもよいことはいうまでもない。
【図面の簡単な説明】
【００５０】
【図１】本発明を適用したＤＶＤレコーダの一例を示すブロック図である。
【図２】キー操作にエラーがあった場合の表示画面の例である。
【図３】キー操作にエラーがあった場合の表示画面の例である。
【図４】キー操作にエラーがあった場合の表示画面の例である。
【図５】キー操作にエラーがあった場合の表示画面の例である。
【図６】キー操作が行われた場合の処理を示すフローチャートである。
【図７】本発明の他の実施形態によるフローチャートである。
【符号の説明】
【００５１】
１    光ディスク
２    ディスク読取書込部
３    信号処理部
５    制御部
６    操作部
７    記憶部
８    ＯＳＤメモリ
８ａ  エラーマーク領域
８ｂ  エラーガイダンス領域
９    エラー情報記録領域
１３  ＨＥＬＰキー
１７  テレビモニタ
１７ａ  表示画面
２０  エラーマーク
２１，２２，３１，３２  ＨＥＬＰ画面
４１，４２，５１，５２  エラーガイダンス
４１ａ，４２ａ，５２ａ  キー操作の内容
４１ｃ，４２ｃ，５２ｃ  操作案内
【図１】
2005092997.tif 000003
【図２】
2005092997.tif 000004
【図３】
2005092997.tif 000005
【図４】
2005092997.tif 000006
【図５】
2005092997.tif 000007
【図６】
2005092997.tif 000008
【図７】
2005092997.tif 000009